(57)【要約】【課題】玉軸受に使用される合成樹脂製の冠形保持器の離型時および組立時における爪の変形を小さくすることである。【解決手段】冠形保持器４の半数のポケット５ａを、軸方向の一側端に玉３に沿って湾曲する爪６を有するものとし、爪有りポケット５ａと爪無しポケット５ｂとを周方向に交互に配することにより、保持器４を射出成形してそのポケット５ａ、５ｂを形成した金型Ｍから離型するときに、爪周辺部８が爪無しポケット５ｂ側へ変形しやすくなって、爪６の変形が小さくなるようにしたのである。【選択図】図３
2006170276.tif 000002
【特許請求の範囲】
【請求項１】
内輪と、外輪と、内外輪間に転動自在に配される複数の玉と、合成樹脂の射出成形により形成され、前記玉を軸方向一側が開放された複数のポケットに収容して周方向に等間隔で保持する冠形保持器とを備えた玉軸受において、前記冠形保持器の各ポケットのうちの一部のポケットを、軸方向の一側端に前記玉に沿って湾曲する爪を有するものとして、これらの爪を有するポケットを周方向で互いに隣り合わないように配したことを特徴とする玉軸受。
【発明の詳細な説明】
【技術分野】
【０００１】
本発明は、合成樹脂の射出成形により形成される冠形保持器を備えた玉軸受に関する。
【背景技術】
【０００２】
深溝玉軸受やアンギュラ玉軸受等の玉軸受には、内外輪間に転動自在に配される複数の玉を、軸方向一側が開放された複数のポケットに収容して周方向に等間隔で保持する冠形保持器を備えたものがある。冠形保持器としては、合成樹脂の射出成形により形成したものがよく使用されている。このような合成樹脂製の冠形保持器では、各ポケットの一側端に玉に沿って湾曲する爪を設け（特許文献１参照。）、これらの爪で軸方向他端側への移動を規制して軸受から脱落しないようにしたものが多い。
【０００３】
ところが、上記爪を有する冠形保持器を備えた玉軸受では、図４（ａ）に示すように、保持器５１のポケット５２の入口幅が、保持器５１の射出成形の際にポケット５２を形成する金型Ｍの球状部の直径よりも狭いため、図４（ｂ）、（ｃ）に示すように、図４（ａ）の状態から保持器５１の隣り合う爪５３どうしの間の側端面５４を押出ピンＰで軸方向に押して、保持器５１を金型Ｍから離型するときに、爪５３が金型Ｍによって変形させられ、特に大きな応力が生じる爪５３の基部５３ａに白化現象やクラックが発生することがある。なお、この白化現象やクラックは、ポケット５２どうしの間隔が狭いほど（玉の個数が多いほど）発生しやすい。これは、図４（ｃ）に示したように、離型時に爪の周辺部５５が周方向両側から対称に力を受けて変形を抑えられることにより、爪５３の変形が大きくなってその基部５３ａに生じる応力も大きくなりやすいからである。
【０００４】
また、軸受組立作業において、保持器を内外輪間に配された玉に対して圧入していくときにも、保持器の爪が玉によって変形させられるので、その基部に白化現象やクラックが発生する場合がある。
【０００５】
そして、保持器の爪の基部に白化現象やクラックが発生したまま軸受を使用すると、使用中に爪が折れて内輪または外輪と玉との間に噛み込み、軸受の回転不良を生じるおそれがある。このため、保持器の離型作業後および組立作業後には爪の基部の確認を行っているが、そのときに不良品として取り除かれるものが少なくなく、このことが軸受の生産性の低下およびコストアップを招く一因となっている。
【特許文献１】特開２００１−２４８６４７号公報（図２、図３）
【発明の開示】
【発明が解決しようとする課題】
【０００６】
本発明の課題は、玉軸受に使用される合成樹脂製の冠形保持器の離型時および組立時における爪の変形を小さくすることである。
【課題を解決するための手段】
【０００７】
上記の課題を解決するため、本発明は、内輪と、外輪と、内外輪間に転動自在に配される複数の玉と、合成樹脂の射出成形により形成され、前記玉を軸方向一側が開放された複数のポケットに収容して周方向に等間隔で保持する冠形保持器とを備えた玉軸受において、前記冠形保持器の各ポケットのうちの一部のポケットを、軸方向の一側端に前記玉に沿って湾曲する爪を有するものとして、これらの爪を有するポケットを周方向で互いに隣り合わないように配した構成を採用した。
【０００８】
すなわち、冠形保持器の一部のポケットを爪有り、他のポケットを爪無しとし、爪有りポケットが周方向で互いに隣り合わないようにすることにより、保持器の離型時および組立時に、爪の周辺部を爪無しポケット側へ変形しやすくして、爪の変形を小さくしたのである。
【発明の効果】
【０００９】
本発明は、上述したように、冠形保持器の一部のポケットのみを爪有りとし、これらの爪有りポケットが周方向で互いに隣り合わないようにしたので、保持器の離型時および組立時における爪の変形を小さくしてその基部に生じる応力を減少させ、白化現象やクラックを発生しにくくすることができる。これにより、保持器の不良品の発生率が低く抑えられ、軸受の生産性向上およびコスト低減に寄与することができる。
【発明を実施するための最良の形態】
【００１０】
以下、図面に基づき、本発明の実施形態を説明する。この実施形態の玉軸受は、図１に示すように、内輪１と、外輪２と、内外輪１、２間に転動自在に配される複数の玉３と、
これらの玉３を保持する冠形保持器４とを備えた深溝玉軸受である。
【００１１】
前記冠形保持器４は、合成樹脂の射出成形により形成されており、図２（ａ）、（ｂ）に示すように、軸方向の一側が開放されたポケット５ａ、５ｂが周方向に等間隔で設けられ、これらの各ポケット５ａ、５ｂに玉３を収容して保持するようになっている。各ポケット５ａ、５ｂは、内面が玉３に沿う凹形の球面となっており、軸方向の一側端に玉３に沿って湾曲する爪６を有するもの（５ａ）と、爪６のないもの（５ｂ）とが周方向に交互に配されている。そして、このように半数のポケット５ａに爪６が設けられていることにより、保持器４は内外輪１、２と非接触の状態でも軸方向他端側への移動が玉３によって規制され、軸受から脱落しないようになっている。
【００１２】
この冠形保持器４の射出成形においては、  図３（ａ）に示すように、従来と同じく、爪有りのポケット５ａの入口幅よりも大径の球状部を有する金型Ｍが使用されているが、図３（ｂ）、（ｃ）に示すように、図３（ａ）の状態から保持器４の爪６が設けられた側端面７を押出ピンＰで軸方向に押して、保持器４を金型Ｍから離型する際には、爪周辺部８が爪無しポケット５ｂ側へ変形することにより、従来よりも爪６の変形が小さくなる。このため、爪６の基部６ａに生じる応力が小さく、白化現象やクラックが発生しにくい。
【００１３】
しかも、図３（ｂ）に示したように、従来に比べて、保持器４の側端面７が広くなって大径の押出ピンＰを使用できるため、保持器４とピンＰとの接触面圧が小さく、ピンＰが保持器４を突き抜ける等の不具合も生じにくい。
【００１４】
また、図示は省略するが、軸受組立作業において保持器４を内外輪１、２間に配された玉３に対して圧入していくときにも、上述した離型作業のときと同様に、従来よりも爪６の変形が小さくなり、白化現象やクラックが発生しにくい。
【００１５】
この玉軸受は、上記の構成であり、冠形保持器の離型時および組立時における爪の変形が小さく、白化現象やクラックが発生しにくいし、保持器離型時の押出ピンの突き抜け等も生じにくいので、従来よりも効率よく安価に製造することができる。
【００１６】
なお、上述した実施形態では冠形保持器の爪有りポケットと爪無しポケットとを周方向に交互に配したが、爪有りポケットの数は、その爪で保持器の軸方向他端側への移動を確実に規制できる範囲であれば、任意に設定することができる。
【００１７】
また、本発明は、実施形態で説明した深溝玉軸受に限らず、冠形保持器を備えた玉軸受に広く適用できる。
【図面の簡単な説明】
【００１８】
【図１】実施形態の玉軸受の正面断面図
【図２】ａは図１の保持器の側面図、ｂはａのＢ−Ｂ線に沿った断面の展開図
【図３】ａ、ｂ、ｃは、それぞれ図２の保持器の離型作業の説明図
【図４】ａ、ｂ、ｃは、それぞれ従来の玉軸受の保持器の離型作業の説明図
【符号の説明】
【００１９】
１  内輪
２  外輪
３  玉
４  冠形保持器
５ａ、５ｂ  ポケット
６  爪
６ａ  基部
７  側端面
８  爪周辺部
Ｍ  金型
Ｐ  押出ピン
【図１】
2006170276.tif 000003
【図２】
2006170276.tif 000004
【図３】
2006170276.tif 000005
【図４】
2006170276.tif 000006